(57)【要約】【課題】光源調整システムを提供することを課題とする。【解決手段】光源調整システムであって、信号生成モジュールと、スイッチング回路と、発光素子と、を含む。信号生成モジュールは、制御信号を生成するために用いられる。スイッチング回路は、信号生成モジュールに電気的に接続され、制御信号に基づいて電源信号を出力するかどうかを決定するために用いられる。発光素子は、スイッチング回路に電気的に接続され、電源信号に基づいて光源信号を発するために用いられ；信号生成モジュールは、制御信号の生成比率を調整することで、光源信号の輝度を制御する。【選択図】図２
2020194768.tif 000002
【特許請求の範囲】
【請求項１】
制御信号を生成するための信号生成モジュールと、
前記信号生成モジュールに電気的に接続され、前記制御信号に基づいて電源信号を出力するかどうかを決定するためのスイッチング回路と、
前記スイッチング回路に電気的に接続され、前記電源信号に基づいて光源信号を発するための発光素子と、
を含む光源調整システムであって、
前記信号生成モジュールは、前記制御信号の生成比率を調整することで、前記光源信号の輝度を制御する、光源調整システム。
【請求項２】
前記制御信号は、変調信号であり、前記信号生成モジュールが前記変調信号の周波数を調整することで、前記光源信号の輝度を制御する、請求項１に記載の光源調整システム。
【請求項３】
前記スイッチング回路は、金属酸化物トランジスタである、請求項１又は２に記載の光源調整システム。
【請求項４】
前記発光素子は、白色ＬＥＤ、赤色ＬＥＤ、青色ＬＥＤ及び緑色ＬＥＤである、請求項１又は２に記載の光源調整システム。
【請求項５】
前記信号生成モジュールは、汎用入出力（ＧＰＩＯ）モジュールを介して前記スイッチング回路に接続されている、請求項１又は２に記載の光源調整システム。
【請求項６】
前記信号生成モジュールは、ブルートゥース低エネルギー（ＢＬＥ）モジュール（ブルートゥースは登録商標）又は一マイクロコントローラ（Ｍｉｃｒｏｃｏｎｔｒｏｌｌｅｒ  Ｕｎｉｔ，ＭＣＵ）である、請求項１又は２に記載の光源調整システム。
【発明の詳細な説明】
【技術分野】
【０００１】
本発明は、光源調整システムに関し、特に、制御信号の生成比率を調整できる光源調整システムに関する。
【背景技術】
【０００２】
従来技術では、ＬＥＤを照明に使用されているのが一般的に見られる技術である。しかしながら、従来技術では、ＬＥＤの輝度調整の多くは、パルス幅変調（ＰＷＭ）又は調光器（ＴＲＩＡＣ）電圧調整の方法によって制御されている。図１に示されるように、パルス幅変調方法は、変調信号のパルス幅を制御することであり、図１が従来技術の変調信号の波形を示す模式図である。
【０００３】
図１は、パルス幅を有する異なる変調信号９１、９２、９３を示す。変調信号９１、９２、９３のパルス幅が異なる場合、ＬＥＤの出力もそれに応じて変化し、輝度も変化する。ただし、パルス幅変調方法は、デューティサイクルの制限に従って調光の段階数の多寡に影響するため、調整には制限がある。調光器による電圧調整方式は、一定の低電圧範囲になると、調光することができなくなる。上記から、パルス幅変調又は調光器の調光方式を問わず、低コストで互換性がありアナログに近い無段階式調光効果を奏することができないことが分かる。
【０００４】
したがって、従来技術の欠陥を解決するために、新しい光源調整システムを発明する必要がある。
【発明の概要】
【発明が解決しようとする課題】
【０００５】
本発明の主要目的は、制御信号の生成比率を調整できる機能を備えた光源調整システムを提供することにある。
【課題を解決するための手段】
【０００６】
上記目的を達成するため、本発明の光源調整システムは、信号生成モジュールと、スイッチング回路と、発光素子と、を含む。信号生成モジュールは、制御信号を生成するために用いられる。スイッチング回路は、信号生成モジュールに電気的に接続され、制御信号に基づいて電源信号を出力するかどうかを決定するために用いられる。発光素子は、スイッチング回路に電気的に接続され、電源信号に基づいて光源信号を発するために用いられ；信号生成モジュールは、制御信号の生成比率を調整することで、光源信号の輝度を制御する。
【図面の簡単な説明】
【０００７】
【図１】従来技術の変調信号の波形図である。
【図２】本発明の実施例１に係る光源調整システムの構成を示す模式図である。
【図３】本発明の制御信号の波形図である。
【図４】本発明の実施例２に係る光源調整システムの構成を示す模式図である。
【発明を実施するための形態】
【０００８】
審査官に本発明の技術内容をより理解してもらうため、以下、好ましい実施例を挙げて説明する。
【０００９】
以下、本発明の実施例１に係る光源調整システムの構成を示す模式図については、図２を参照されたい。
【実施例１】
【００１０】
本発明の実施例１では、光源調整システム１は、信号生成モジュール１０と、スイッチング回路２０と、発光素子３０と、を含む。信号生成モジュール１０は、制御信号を生成するために用いられる。信号生成モジュール１０は、ブルートゥース低エネルギー（ＢＬＥ）モジュール（ブルートゥースは登録商標）又はマイクロコントローラ（Ｍｉｃｒｏｃｏｎｔｒｏｌｌｅｒ  Ｕｎｉｔ、ＭＣＵ）或いはハードウェアデバイスと組み合わされたソフトウェア、ハードウェアデバイスと組み合わされたファームウェアなどの方式によって構築してから成り、かつ信号を自ら生成できる他のモジュールであってもよい。信号生成モジュール１０により生成される制御信号は、変調信号であってもよいが、本発明はこれに限定されない。スイッチング回路２０は、前記信号生成モジュール１０に電気的に接続され、前記制御信号に基づいて電源信号を出力するかどうかを決定するために用いられる。スイッチング回路２０は、金属酸化物トランジスタであり、スイッチング機能を備えた他のモジュールであってもよく、本発明はこれに限定されない。前記信号生成モジュール１０は、汎用入出力（ＧＰＩＯ）モジュール４０を介して前記スイッチング回路２０に接続されている。信号生成モジュール１０が制御信号を生成した時、スイッチング回路２０も電源信号を出力する。
【００１１】
図３も参照すると、本発明の制御信号の波形図である。
【００１２】
図３から分かるように、制御信号５１、５２、５３のパルス幅は異なり、それらの周波数が従来技術の変調信号９１、９２、９３と同じであるが、信号生成モジュール１０は制御信号５１、５２、５３生成及びポンピングパルスの比率をさらに調整すると、断続的に制御信号５１、５２、５３を生成することに相当する。本発明の一実施例では、信号生成モジュール１０はそのファームウェア制御を利用して制御信号５１、５２、５３生成及びポンピングパルスの比率を変更することができるが、本発明はこれに限定されない。したがって、信号生成モジュール１０が制御信号を生成した時、スイッチング回路２０も電源信号を出力する。信号生成モジュール１０は、制御信号の生成を停止した時、スイッチング回路２０も電源信号の出力を一時的に停止する。
【００１３】
発光素子３０は、前記スイッチング回路２０に電気的に接続され、前記電源信号に基づいて光源信号を発するために用いられる。発光素子は、白色ＬＥＤ、赤色ＬＥＤ、青色ＬＥＤ又は緑色ＬＥＤであってもよいが、本発明はこれらに限定されない。発光素子３０は、電源信号を受信した後、制御信号５１、５２、５３の周波数及び制御信号５１、５２、５３の波形生成比率に基づいて異なる輝度の光源信号を得る。したがって、前記信号生成モジュール１０は、前記制御信号の生成比率を調整し、すなわち、前記変調信号の周波数及び変調信号の生成比率を調整することで、発光素子３０が発する光源信号の輝度を制御する。
【実施例２】
【００１４】
次に、図４を参照すると、本発明の実施例２に係る光源調整システムの構成を示す模式図である。
【００１５】
本発明の実施例２では、光源調整システム１’の信号生成モジュール１０は、汎用入出力モジュール４０のピンを介して第１スイッチング回路２１、第２スイッチング回路２２、第３スイッチング回路２３及び第４スイッチング回路２４に接続されることで、第１発光素子３１、第２発光素子３２、第３発光素子３３及び第４発光素子３４に各々接続されてもよい。第１発光素子３１、第２発光素子３２、第３発光素子３３及び第４発光素子３４は、各々白色ＬＥＤ、赤色ＬＥＤ、青色ＬＥＤ及び緑色ＬＥＤであってもよいが、本発明はこれに限定されない。信号生成モジュール１０が制御できる発光素子の数は、汎用入出力モジュール４０のピンの数によって決定でき、本発明はその数を限定しない。これにより、信号生成モジュール１０は、異なる制御信号の生成比率を調整し、すなわち、前記変調信号の周波数及び変調信号の生成比率を調整することで、異なる第１発光素子３１、第２発光素子３２、第３発光素子３３及び第４発光素子３４が発する光源信号の輝度を制御する。 
【００１６】
上記の構成要素以外に、本発明の回路は、分圧、電圧安定化又はスイッチングなどの用途とするために、抵抗器、コンデンサ或いはインダクタなどの他の回路素子も含み得る。他の回路素子の技術は本発明の焦点ではないため、ここではこれ以上説明しない。
【００１７】
上記説明から、本発明の光源調整システム１、１’は、異なる制御信号５１、５２、５３の異なる周波数及び生成比率を利用してその発光素子３０が発する光源信号の輝度を調整して、最も低いコスト及び最も簡素化な回路により最も完璧なほぼ無段階調光の制御方法を実現する。
【００１８】
上記実施形態は、本発明の好ましい実施形態の一例に過ぎず、説明の重複を避けるために、考えられる変更の組み合わせはすべて詳細に説明しないことに留意されたい。しかし、上記の各モジュール又は素子は必ずしも必要ではないことを当業者は理解すべきである。かつ本発明を実施するために、他のより詳細な従来のモジュール又は素子も含めることができる。各モジュール又は素子は、いずれも必要に応じて省略或いは変更でき、かつ任意の２つのモジュール間に他のモジュール又は素子が存在する場合がある。本発明の基本構造からから逸脱しない限り、それは本発明が主張する権利範囲に網羅され、特許請求の範囲を基準とする。
【符号の説明】
【００１９】
１０   信号生成モジュール
１、１’   光源調整システム
２０   スイッチング回路
２１   第１スイッチング回路
２２   第２スイッチング回路
２３   第３スイッチング回路
２４   第４スイッチング回路
３０   発光素子
３１   第１発光素子
３２   第２発光素子
３３   第３発光素子
３４   第４発光素子
４０     汎用入出力モジュール
５１、５２、５３    制御信号
９１、９２、９３    変調信号
【図１】
2020194768.tif 000003
【図２】
2020194768.tif 000004
【図３】
2020194768.tif 000005
【図４】
2020194768.tif 000006